(57)【特許請求の範囲】
【請求項１】
前面が開放された外箱、前記外箱の内側に設けられ、前面が開放された内箱及び前記外箱と前記内箱の間に設けられた断熱材を有する食品収納容量が２０リットルから３０リットルの範囲である断熱容器と、
前記内箱の左右側面板に設けられたレール部と、
前記レール部を介して前後に移動可能な左右フレームを裏面に有し、前記断熱容器の前面を開閉自在に塞ぐ前面扉と、
前記前面扉の裏面に固定され、前記前面扉が前後に移動されることにより前記断熱容器内外に出し入れされる上方が開放された収納ケースとを備え、
前記断熱容器の内箱は、上面、下面及び背面が金属部材よりなる伝熱板で一体に形成され、前記左右側面板が樹脂部材により形成されたことを特徴とする保存庫。
【請求項２】
前面が開放された外箱、前記外箱の内側に設けられ、前面が開放された内箱及び前記外箱と前記内箱の間に設けられた断熱材を有する食品収納容量が２０リットルから３０リットルの範囲である断熱容器と、
前記内箱の左右側面板に設けられ、前記内箱の背面より後方まで形成されたレール部と、
前記レール部を介して前後に移動可能な左右フレームを裏面に有し、前記断熱容器の前
面を開閉自在に塞ぐ前面扉と、
前記前面扉の裏面に固定され、前記前面扉が前後に移動されることにより前記断熱容器
内外に出し入れされる上方が開放された収納ケースと
を備えたことを特徴とする保存庫。
【請求項３】
前面が開放された外箱、前記外箱の内側に設けられ、前面が開放された内箱及び前記外箱と前記内箱の間に設けられた断熱材を有する断熱容器と、
前記内箱の左右側面板に設けられたレール部と、
前記レール部を介して前後に移動可能な左右フレームを裏面に有し、前記断熱容器の前面を開閉自在に塞ぐ前面扉と、
前記前面扉の裏面に固定され、前記前面扉が前後に移動されることにより前記断熱容器内外に出し入れされる上方が開放された収納ケースとを備え、
前記断熱容器の内箱は、上面、下面及び背面が金属部材よりなる伝熱板で一体に形成され、前記左右側面板が樹脂部材により形成されたことを特徴とする保存庫。
【請求項４】
前面が開放された外箱、前記外箱の内側に設けられ、前面が開放された内箱及び前記外箱と前記内箱の間に設けられた断熱材を有する断熱容器と、
前記内箱の左右側面板に設けられ、前記内箱の背面より後方まで形成されたレール部と、
前記レール部を介して前後に移動可能な左右フレームを裏面に有し、前記断熱容器の前面を開閉自在に塞ぐ前面扉と、
前記前面扉の裏面に固定され、前記前面扉が前後に移動されることにより前記断熱容器内外に出し入れされる上方が開放された収納ケースとを備え、
前記断熱容器の内箱は、上面、下面及び背面が金属部材よりなる伝熱板で一体に形成され、前記左右側面板が樹脂部材により形成されたことを特徴とする保存庫。
【請求項５】
前面が開放された外箱、前記外箱の内側に設けられ、前面が開放された内箱及び前記外箱と前記内箱の間に設けられた断熱材を有する断熱容器と、
前記内箱の左右側面板に設けられ、前記内箱の背面より後方まで形成されたレール部と、
前記レール部を介して前後に移動可能な左右フレームを裏面に有し、前記断熱容器の前面を開閉自在に塞ぐ前面扉と、
前記前面扉の裏面に固定され、前記前面扉が前後に移動されることにより前記断熱容器内外に出し入れされる上方が開放された収納ケースとを備え、
前記収納ケースは、２リットルサイズのペットボトルを当該ペットボトルの蓋部を
前記前面扉側に傾けた状態で収納可能とすることを特徴とする保存庫。
【発明の詳細な説明】
【技術分野】
【０００１】
この発明は、飲料や食品等の収納物を低温保存したり、保温したりする小形の保存庫及び冷蔵庫に関するものである。
【背景技術】
【０００２】
従来の飲食物等を収納した庫内を、サーモモジュールにより保冷又は保温する小形の保存庫として、例えば、前面の扉の左右どちらか一端の上下がヒンジ機構により軸支されて前面の扉が回転式に左右方向に開き、また、前面が開放された断熱容器の内箱が金属部材により上下、左右及び背面の５面が一体に形成されたものがあった（例えば、特許文献１参照）。
【先行技術文献】
【特許文献】
【０００３】
【特許文献１】特開２０００−３０４４０１号公報
【発明の概要】
【発明が解決しようとする課題】
【０００４】
従来の保存庫は前面の扉を、左右の一端の上下に設けたヒンジを支点にして、左右方向へ回転させて開き、前面から断熱容器の内箱内に手を入れて食品の出し入れを行うため、食品の出し入れが行いやすいものではないという課題があった。また、食品が取り出しやすいように、左右方向に扉が９０度以上回転して開くため、保存庫の左又は右の扉が開く方向にスペースが必要で、保存庫を設置する左右のスペースが広く必要であるという課題があった。
【０００５】
この発明は、上記のような課題を解消するためになされたもので、小形の保存庫であっても飲食物等の収納物の出し入れが行いやすく、設置スペースも狭く出来る保存庫及び冷蔵庫を得ることを目的とする。
【課題を解決するための手段】
【０００６】
この発明に係る保存庫は、前面が開放された外箱、前記外箱の内側に設けられ、前面が開放された内箱及び外箱と内箱の間に設けられた断熱材を有する食品収納容量が２０リットルから３０リットルの範囲である断熱容器と、内箱の左右側面板に設けられたレール部と、レール部を介して前後に移動可能な左右フレームを裏面に有し、断熱容器の前面を開閉自在に塞ぐ前面扉と、前面扉の裏面に固定され、前面扉が前後に移動されることにより断熱容器内外に出し入れされる上方が開放された収納ケースとを備え、断熱容器の内箱は、上面、下面及び背面が金属部材よりなる伝熱板で一体に形成され、左右側面板が樹脂部材により形成されたものである。
【０００７】
また、この発明に係る保存庫は、前面が開放された外箱、外箱の内側に設けられ、前面が開放された内箱及び外箱と内箱の間に設けられた断熱材を有する断熱容器と、内箱の左右側面板に設けられたレール部と、レール部を介して前後に移動可能な左右フレームを裏面に有し、断熱容器の前面を開閉自在に塞ぐ前面扉と、前面扉の裏面に固定され、前面扉が前後に移動されることにより断熱容器内外に出し入れされる上方が開放された収納ケースとを備え、断熱容器の内箱は、上面、下面及び背面が金属部材よりなる伝熱板で一体に形成され、左右側面板が樹脂部材により形成されたものである。
【０００８】
また、この発明に係る保存庫は、前面が開放された外箱、外箱の内側に設けられ、前面が開放された内箱及び外箱と内箱の間に設けられた断熱材を有する断熱容器と、内箱の左右側面板に設けられたレール部と、レール部を介して前後に移動可能な左右フレームを裏面に有し、断熱容器の前面を開閉自在に塞ぐ前面扉と、前面扉の裏面に固定され、前面扉が前後に移動されることにより断熱容器内外に出し入れされる上方が開放された収納ケースとを備え、収納ケースは、２リットルサイズのペットボトルを当該ペットボトルの蓋部を前面扉側に傾けた状態で収納可能とするものである。
【発明の効果】
【０００９】
この発明に係る保存庫は、前面が開放された外箱、外箱の内側に設けられ、前面が開放された内箱及び外箱と内箱の間に設けられた断熱材を有する収納容量が２０リットルから３０リットルの範囲である断熱容器と、内箱の左右側面板に設けられたレール部と、レール部を介して前後に移動可能な左右フレームを裏面に有し、断熱容器の前面を開閉自在に塞ぐ前面扉と、前面扉の裏面に固定され、前面扉が前後に移動されることにより断熱容器内外に出し入れされる上方が開放された収納ケースとを備えたので、小形の保存庫であっても飲食物等の収納物の出し入れが行いやすく、設置スペースも狭く出来るという効果がある。
【００１０】
また、この発明に係る保存庫は、前面が開放された外箱、外箱の内側に設けられ、前面が開放された内箱及び外箱と内箱の間に設けられた断熱材を有する断熱容器と、内箱の左右側面板に設けられたレール部と、レール部を介して前後に移動可能な左右フレームを裏面に有し、断熱容器の前面を開閉自在に塞ぐ前面扉と、前面扉の裏面に固定され、前面扉が前後に移動されることにより断熱容器内外に出し入れされる上方が開放された収納ケースとを備え、断熱容器の内箱は、上面、下面及び背面が金属部材よりなる伝熱板で一体に形成され、左右側面板が樹脂部材により形成されたので、飲食物等の収納物の出し入れが行いやすく、設置スペースも狭く出来るという効果がある。
【００１１】
また、この発明に係る保存庫は、前面が開放された外箱、外箱の内側に設けられ、前面が開放された内箱及び外箱と内箱の間に設けられた断熱材を有する断熱容器と、内箱の左右側面板に設けられたレール部と、レール部を介して前後に移動可能な左右フレームを裏面に有し、断熱容器の前面を開閉自在に塞ぐ前面扉と、前面扉の裏面に固定され、前面扉が前後に移動されることにより断熱容器内外に出し入れされる上方が開放された収納ケースとを備え、収納ケースは、２リットルサイズのペットボトルを当該ペットボトルの蓋部を前面扉側に傾けた状態で収納可能とするようにしたので、飲食物等の収納物の出し入れが行いやすく、設置スペースも狭く出来るという効果がある。
【図面の簡単な説明】
【００１２】
【図１】この発明の実施の形態１に係る保存庫の前方からの外観斜視図である。
【図２】この発明の実施の形態１に係る保存庫の正面図である。
【図３】この発明の実施の形態１に係る保存庫の後方からの外観斜視図である。
【図４】この発明の実施の形態１に係る保存庫の主要構成部品を示す分解斜視図である。
【図５】この発明の実施の形態１に係る保存庫を前面扉を外して示す正面図である。
【図６】図５のＢ−Ｂ線断面図で、ドレンパンを断熱容器から少し引き出した状態を示す図である。
【図７】図５のＢ−Ｂ線断面図で、ドレンパンを断熱容器に収納した状態を示す図である。
【図８】この発明の実施の形態１に係る保存庫の前面扉を引き出した状態の後方から見た斜視図である。
【図９】図２のＣ−Ｃ線断面図で、２リットルサイズのペットボトルを収納した状態を示す図である。
【図１０】この発明の実施の形態１に係る保存庫を前面扉とドレンパンを取り外して示す正面図である。
【図１１】図１０のＡ−Ａ線断面図である。
【図１２】この発明の実施の形態１に係る保存庫の内箱の構成を説明する分解斜視図である。
【図１３】この発明の実施の形態１に係る保存庫の外箱の上面部材が無い状態の図３に相当する後方からの外観斜視図である。
【図１４】この発明の実施の形態１に係る保存庫のドレンパンの分解斜視図である。
【図１５】この発明の実施の形態１に係る保存庫のドレンパンの斜視図である。
【図１６】図１０のＺ部分の拡大図である。
【図１７】図１６のＤ−Ｄ線断面図である。
【図１８】図１６のＥ−Ｅ線断面図である。
【発明を実施するための形態】
【００１３】
以下、この発明の実施の形態について図面を参照しながら詳細に説明する。
実施の形態１．
以下、この発明の実施の形態１を、図１〜図１８に基づいて詳細に説明する。図１はこの発明の実施の形態１に係る保存庫１の前方からの外観斜視図である。図２は保存庫１の正面図である。図３は保存庫１の後方からの外観斜視図である。図４は保存庫１の主要構成部品を示す分解斜視図である。図５は保存庫１を前面扉３を外して示す正面図である。図６は図５のＢ−Ｂ線断面図で、ドレンパン２５を断熱容器２から少し引き出した状態を示す図である。図７は図５のＢ−Ｂ線断面図で、ドレンパン２５を断熱容器２に収納した状態を示す図である。図８は保存庫１の前面扉３を引き出した状態の後方から見た斜視図である。図９は図２のＣ−Ｃ線断面図で、２リットルサイズのペットボトル９ａを収納した状態を示す図である。図１０は保存庫１を前面扉３とドレンパン２５を取り外して示す正面図である。図１１は図１０のＡ−Ａ線断面図である。図１２は保存庫１の内箱４の構成を説明する分解斜視図である。図１３は保存庫１の外箱５の上面部材１５が無い状態の図３に相当する後方からの外観斜視図である。図１４は保存庫１のドレンパン２５の分解斜視図である。図１５は保存庫１のドレンパン２５の斜視図である。図１６は図１０のＺ部分の拡大図である。図１７は図１６のＤ−Ｄ線断面図である。図１８は図１６のＥ−Ｅ線断面図である。
【００１４】
この実施の形態１では、保存庫１の一例として静かでコンパクトなサイズのペルチェ素子を利用したサーモモジュール１８（図６等参照）を１個使用した小形の冷蔵庫１を示している。図１等に示すように、冷蔵庫１は前面が開放された断熱容器２と断熱容器２の前面を塞ぐ前面扉３により外郭を形成している。また、図５等に示すように、断熱容器２は、内箱４と外箱５、内箱４と外箱５との間に介在するように注入された発泡断熱材（図示せず）等の断熱材で構成され、この断熱容器２により冷蔵庫１の内側と外側との断熱を行うようにしている。
【００１５】
次に前面扉３の構成について説明する。前面扉３も内部に断熱材（図示せず）が充填されて、冷蔵庫１前面の断熱を行うようにしている。図４等に示すように、この前面扉３の裏面の左右にはそれぞれ断熱容器２に対して前後に引き出し自在に支持される後方に長く形成された左フレーム６と右フレーム７の前端が固定され、また、左フレーム６と右フレーム７の後端部分をステー８で連結し、前面扉３、左右フレーム６，７及びステー８で形成される上方から見て枠形状に形成される収納部分に、飲食物９等の収納物を収納する樹脂部材で形成された食品収納ケース（収納ケース）１０が着脱自在に嵌まり込んで固定されるようにしている。このようにして、断熱容器２から前面扉３を前後に出し入れすることで、前面扉３の後方に固定されて上面を開放した箱形状の食品収納ケース１０が断熱容器２から前後に出し入れされるようにしており、食品収納ケース１０を断熱容器２から前方へ引き出して、上方から障害が無い状態で飲食物９等の収納物を容易に出し入れすることができるようにしている。そして、このように飲食物９の出し入れが容易で利用しやすいため、例えば年配者が利用するケースが多い病室等で利用される小形の冷蔵庫に適している。
【００１６】
また、前面扉３は前後に引き出すだけなので、従来の小形の冷蔵庫のように扉が邪魔にならないように扉が９０度以上回転して左又は右に開くためのスペースが不要なため冷蔵庫１の設置スペースを狭くでき、ホテルや病室のようにスペースが少ない部屋にも設置しやすいという効果がある。特にホテル等では見栄えをよくするため壁や家具内等に押し込んで冷蔵庫１の前面扉３部分だけがほぼ見えるような状態で設置される場合も多く、前面扉３と食品収納ケース１０による引き出し式の構成にすることで、冷蔵庫１の左右の冷蔵庫１を設置するためのスペースを狭くでき、ホテルの部屋に設置しやすいものが得られる。
【００１７】
次に内箱４の構成について説明する。図４や図１２等に示すように内箱４は上下面と背面の３面を一体に構成する側断面がコ字状の形状となるアルミ等の金属部材で構成された伝熱板１１と、伝熱板１１の左右を塞ぐ樹脂部材で形成された左側面板１２と右側面板１３とで前面を開放した箱形状に形成されている。このように、伝熱板１１が金属部材で形成されているのは、冷却手段となる後述のペルチェ素子を利用したサーモモジュール１８からの冷熱を伝えて上下及び背面の３面から飲食物９等の収容物を冷却するためであり、また、左側面板１２と右側面板１３を樹脂部材で形成することで、左右フレーム６，７が出し入れされる左右それぞれのレール部１２ａ，１３ａを樹脂成形により凹ませて作りやすいためであり、この左右側板１２，１３の樹脂材料の一例としてポリプロピレン等の粘質性の部材で成形すると割れにくくて成形しやすいものが得られる。
【００１８】
また、左右側面板１２，１３を樹脂部材で形成することで、伝熱板１１の形状が上下面と背面だけの簡単なコ字形状の３面形状になり、従来のように左右の側壁まで５面を一体に形成するような深絞りを行う必要がないため、金属板から容易に成形することができ、内箱４を安価に成形できるという効果もある。また、左右のレール部１２ａ，１３ａの前部には左右フレーム６，７が案内されるローラ１２ｂ，１３ｂがそれぞれ設けられている。また、右フレーム７の後側には右側のレール部１３ａを移動するローラ７ａが設けられ、左フレーム６の後側にも同様に左側のレール部１２ａを移動するローラ（図示せず）が設けられている。
【００１９】
次に外箱５の構成について説明する。図４等に示すように外箱５は、左右側面と下面の３面を折曲げて一体に形成した前方から見て凹字形状の下方三面部材１４と、上面を形成する樹脂部材よりなる上面部材１５と、背面を覆う樹脂部材よりなる背面部材１６とで５面を形成している。また外箱５の前面には枠形状の枠体１７が設けられ、見栄えをよくするとともに外箱５と内箱４の前面側の隙間から発泡断熱材（図示せず）が洩れないようにしている。また、図６や図１１等に示すように、背面部材１６には、伝熱板１１を冷却するサーモモジュール１８が固定されている。サーモモジュール１８は、ペルチェ素子からなり、断熱容器２の後壁において、収納穴が外箱５及び断熱材（図示せず）を貫通し、内箱４の伝熱板１１を成す金属板を残して形成され、この収納穴内にサーモモジュール１８が配設されるようにしている。また、このサーモモジュール１８と内箱４の伝熱板１１との間に熱伝導性のよいアルミ系合金の伝熱ブロック１９を介在させ、この伝熱ブロック１９を内箱４の伝熱板１１にねじ止めにより熱伝導される状態に接合して、サーモモジュール１８の利用側熱交換面部と内箱４の伝熱板１１とを伝熱ブロック１９を介し伝熱可能に接合している。なお、伝熱ブロック１９は、断熱材の注入により断熱容器２に一体的に固定されている。また、この伝熱ブロック１９に対し、サーモモジュール１８は、ねじ等により後面側から脱着自在に固定されている。
【００２０】
また、図６等に示すように、サーモモジュール１８の熱源側熱交換面部と熱伝導的に接合されたヒートシンク２０が設けられ、このヒートシンク２０は上下に庫外空気を流通させて熱交換させるように、多数のアルミフィンが縦方向に配置されて構成されている。また、このヒートシンク２０を覆うように、断熱容器２の背面全体をカバーし、断熱容器２の後壁外側に電気部品（図示せず）等を収納するとともに、ヒートシンク２０を冷却する通風路を形成する背面カバー２２が設けられている。この背面カバー２２は前面を開放した略箱型に形成され、背面カバー２２の下面は後方に向かうに従って上方に傾斜して形成され、この下面から外気を吸い込む吸込口２２ａが開設されている。また、背面カバー２２の上面は、後方に向うに従って下方へ傾斜して形成され、この上面部分に排気口２２ｂが形成されている。
【００２１】
また、排気口２２ｂの内側に送風ファン２３が設けられ、冷蔵庫の１上部に配置された送風ファン２３の回転により、冷蔵庫１の下方の吸込口２２ａから吸い込んだ庫外空気がヒートシンク２０を通り熱交換して上方の排気口２２ｂから排出されるようにしている。また、背面カバー２２下面の吸込口２２ａが後方へ行くに従って上方に傾斜しているので、図７のＨ寸法に示すように冷蔵庫１が設置される床面と吸込口２２ａの距離が広くなるため、外気を吸い込む風路抵抗が少なく、床面から埃を吸い込むことも防止され、後述のフィルタ２６等の目詰まりを防止してフィルタ２６の清掃等のメンテナンスを容易にできる。また、送風ファン２３が冷蔵庫１の上部に配置されるため、送風ファン２３から吸込口２２ａまでの距離が長いため、吸込口２２ａから吸い込む吸気の風速が強くないようにできるため、さらに吸込口２２ａからの埃の吸い込みを防止できる効果もある。
【００２２】
このような構成により、この実施の形態の冷蔵庫１では、ペルチェ素子のサーモモジュール１８により伝熱ブロック１９が冷却されて、伝熱ブロック１９から、内箱４の上下及び背面の３面を一体に形成した伝熱板１１に冷熱が伝わり、冷やされた伝熱板１１により断熱容器２内に収納された食品収納ケース１０内の飲食物９が冷やされ、断熱容器２内が３℃〜７℃程度に冷蔵されるようにしている。また、ペルチェ素子のヒートシンク２０側は、送風ファン２３により吸込口２２ａから吸い込まれた外気によりヒートシンク２０が冷されてペルチェ素子（サーモモジュール）１８の温熱が放熱されるようにしている。またヒートシンク２０を通過した空気は排気口２２ｂから放出されるようにしている。
【００２３】
次に、内箱４を構成するアルミ合金等の金属部材で形成される伝熱板１１を上下面と背面の３面で構成し、左右面を樹脂部材の左右側面板１２，１３で構成することの効果について、さらに詳細に説明する。伝熱板１１の背面はサーモモジュール１８からの熱が最初に伝えられる面であるため、特に効果的に冷蔵庫１内を冷却することができ、また、冷熱は上方から下方に伝わる性質があるため内箱４の上面が伝熱板１１で構成されることで上方から効果的に冷蔵庫内を冷却することができる。また、内箱４の下面を伝熱板１１で構成し下方からも冷却することで、上下及び背面の３方から冷蔵庫内１を十分に冷却することができ、左右側面板１２，１３を樹脂部材で形成することができるわけである。
【００２４】
また、伝熱板１１の下面を背面から一体に成形することで、冷却により伝熱板１１に付着した露が背面から下面へとスムーズに伝わって、伝熱板１１の下面のドレン排水口２４に集められ、排水が行なわれやすいようにできる効果もある。また、内箱４の下面を伝熱板１１で構成することで、例えば、サーモモジュール１８の電源の印加方向を切替えて冷蔵庫だけでなく温蔵庫のような機能を有する構成とした場合には、温熱は下方から上方に伝わる性質があるため、伝熱板１１の下面部分から庫内を効果的に保温できるものが得られる。
【００２５】
また、伝熱板１１とは別体に内箱４の左右側面板１２，１３を樹脂部材で形成することで、レール部１２ａ，１３ａを成形しやすいだけでなく、この実施の形態では図１１の断面図のＧ寸法に示すように、レール部１２ａ，１３ａを内箱４の伝熱板１１の背面よりさらに後方まで形成することができる。これにより、前面扉３に固定された左右フレーム６，７の前後の移動距離を長くできるため、図９の側断面図に示すように、食品収納ケース１０と伝熱板１１の背面との距離を狭くして食品収納ケース１０の前後の収納スペースを広くでき、また、食品収納ケース１０を前方へ引き出す距離を長くでき、小形の冷蔵庫１でも十分に飲食物９等の収納容量を広くでき、また、食品の出し入れを容易にできるものが得られる効果がある。
【００２６】
また、冷蔵庫１の前面全体を覆う前面扉３により一つの食品収納ケース１０を備え、前後に出し入れする引き出し式の冷蔵庫１の構成は、食品等の収容物９を収容する収納容量の多い冷蔵庫にも適用可能であるが、ホテルや病室等で使用される食品収納容量が１５リットルから４５リットルの範囲程度の小形の冷蔵庫に適しており、特に２０リットルから３０リットルの収納容量の範囲とすれば、飲料物程度を冷蔵する病室で利用される冷蔵庫として最適である。また、冷却手段としてペルチェ素子を利用したサーモモジュール１８により冷蔵する構成としたので、冷凍サイクルを用いる冷蔵庫のように圧縮機により冷蔵庫が大きくなったり、圧縮機の動作音や冷媒が循環する音がしないため、非常に静かで人の眠りを妨げるような騒音の少ない冷蔵庫が得られ、さらにホテルや病室の冷蔵庫１として最適な冷蔵庫１が得られる効果がある。
【００２７】
次に、飲食物９等の収納物の一例として２リットルサイズのペットボトル９ａを収納する構成について説明する。容量が２リットルサイズのペットボトル９ａは一般的なもので外形の高さが３１０ｍｍ程度で、その胴部分の太い部分は円筒形のもので直径が９０ｍｍ程度、四角形状のもので９０ｍｍ×１００ｍｍ程度の幅もあり、特に高さがホテルや病室で使用される小形の冷蔵庫では、ペットボトル９ａを立てても横にしても収納できないサイズのものが多く、５００ミリリットルのペットボトルを沢山購入して収納する等、２リットルサイズを購入するより購入費用が割高になるという課題があった（例えば安売りしている際に２リットルサイズのペットボトルが１本２００円程度で購入できるのに対し、５００ミリリットルサイズは１本１００円程度もするため２リットル分を購入すると４本分で４００円程度と２リットルサイズ１本の約倍の購入費用が必要になり非常に割高になる。）。また、ペットボトル９ａを真横に倒して収納すると飲料が蓋部９ｂから洩れ出たり、炭酸飲料の場合には取り出して立てた際の衝撃で炭酸飲料が吹き出したりする可能性もあった。この実施の形態では図８、図９に示すように２リットルサイズのペットボトル９ａを前方へ傾けた状態で収納できるようにした。
【００２８】
このようにすることで、冷蔵庫１の内箱４内の食品収納部分の上下の高さ、奥行き及び左右の幅が２リットルサイズのペットボトル９ａの高さを収納できる３１０ｍｍ程度以上の寸法がない場合でも、２リットルサイズのペットボトル９ａを前方に斜めにして収納できるサイズの上下の高さと奥行きがあれば、２リットルサイズのペットボトル９ａを収納でき、収納容量が２０〜３０リットル程度の小形の冷蔵庫１でも十分に２リットルサイズのペットボトル９ａを収納できる冷蔵庫１が得られた。また、このように２リットルサイズのペットボトル９ａを立てた状態から上方を手前側に傾けた状態に収納することで、冷蔵庫１の上下の高さを低くすることができ、地震等の際に移動しにくく倒れにくい冷蔵庫が得られ、さらにホテルや病室等に設置する冷蔵庫に適している。また、特に、収納物９の出し入れが行いやすい食品収納ケース１０が引き出し式の場合、食品収納ケース１０と内箱４の下面との間に、引き出しやすいように若干の隙間を設ける必要があり、その隙間の分だけ冷蔵庫１の高さが必要になるが、ペットボトル９ａを傾けて収納することにより冷蔵庫１の高さを低くできるので、引き出し式の収納ケースの構成に適した構成となっている。
【００２９】
また、前面扉３の上面部分等を持って前面扉３を前後に移動させ、２リットルサイズのペットボトル９ａの出し入れを行う際に、細く手で持ちやすい蓋部９ｂ側が前面扉３側である手前側に来るので、ペットボトル９ａを持ちやすく、出し入れが容易となるという効果もある。また、２リットルサイズのペットボトル９ａを傾けて収納できる理由として、従来のように前面扉を左右に回転させて開けるものであれば、２リットルサイズのペットボトル９ａが前方に倒れてしまい収納できず、又は、斜めに収納するために支える別部品が必要で割高で取り出しも行い難くなるが、この実施の形態によれば前面扉３と前面扉３とともに引き出される箱形状の食品収納ケース１０で収納部が構成されているため、２リットルサイズのペットボトル９ａが前方へ倒れてしまうことなく、容易に収納できるわけである。
【００３０】
また、２リットルサイズのペットボトル９ａの上方を前方へ傾斜させる角度としては図９のＦ角度に示すように水平面から３０度〜４０度の範囲程度の傾斜が２０〜３０リットルサイズの食品収納容量の横長（高さより幅が広いタイプ）タイプの小形冷蔵庫に適していた。
【００３１】
また、２リットルサイズのペットボトル９ａの上方部分を支える構成としては、食品収納ケース１０の前側部分で支える構成としてもよいが、この実施の形態では、さらに、前面扉３の裏面に、２リットルサイズのペットボトル９ａを傾けて収納した際に蓋部９ｂ部分が位置する部分を蓋部９ｂの形状に合わせて前方へ窪ませた蓋部９ｂの収納部となる窪み３ａを形成し、２リットルサイズのペットボトル９ａの前後の移動を防止するとともに、２リットルサイズのペットボトル９ａの蓋部９ｂ部分が断熱容器２の前面より前方に位置する分だけ、冷蔵庫の高さ及び奥行き寸法を狭くでき、小形の冷蔵庫１で２リットルサイズのペットボトル９ａを収納できるようにしている。
【００３２】
次に樹脂部材で形成されたドレンパン２５と樹脂部材で形成されたフィルタ２６の構成について説明する。図６や図７等に示すように、ドレン排水口２４は、断熱容器２の底部に設けられている。そして、内箱４の内面に付着したドレン水を、断熱容器２の下方に配設された皿状のドレンパン２５に導く。図１０等に示すように、台足２７は断熱容器２の底面において前後及び左右の合計４箇所に配置され、それぞれ段差部が向き合うように配置されている。そしてドレンパン２５は図１４及び図１５のように、水平面形状が略Ｔ字型を成し、前部の幅寸法を後部の幅寸法より大きくして、ドレン収容量を多くできるようにするとともに、左右台足２７の段差部間にドレンパン２５の左右が入り込んでガイドされるように構成されている。これにより、ドレンパン２５は、その後部が台足２７の段差部と断熱容器２の底面との間に前後出し入れ自在にスライド式に挿入されて、取付けられている。
【００３３】
さらに、ドレンパン２５後部には、ドレンパン２５の後部に軸支されて、冷蔵庫１の後部の底面に開設した吸込口２２ａを覆うフィルタ２６を設け、吸込口２２ａを空気が流通する際に、ヒートシンク２０に流入する空気の中に混入する埃等を除去できるようにしている。そして、フィルタ２６は左右の前部に設けられた軸２６ａ，２６ｂが、軸２６ａ，２６ｂに対応してドレンパン２５の後部の左右に形成された軸受２５ａ，２５ｂに樹脂部材の弾力を利用して押し込まれることで、フィルタ２６の後方が図１５の２点鎖線で示すように上方へ回転自在に嵌まり込み、また、簡単にはフィルタ２６がドレンパン２５から外れないように軸支されている。また、フィルタ２６はドレンパン２５に支えられて水平な状態から下方には回転しないように構成されている。
【００３４】
そして、図６及び図７に示すように、ドレンパン２５を冷蔵庫１の下面に挿入するとドレンパン２５の後方に取り付けられたフィルタ２６は、ドレン排水口２４の下を通過し、吸込口２２ａを形成した背面カバー２２の下面の上方への傾斜に沿って案内され、軸２６ａ，２６ｂで回転してフィルタ２６の後方が吸込口２２ａに配置されることで、フィルタ２６を冷蔵庫１の前方から容易に冷蔵庫１の後部の吸込口２２ａにセットできるようにしている。また、フィルタ２６を取り外す際は、ドレンパン２５を冷蔵庫１の前方へ引き抜くことでフィルタ２６も引き出されて取り外すことができる。このため、冷蔵庫１が壁や家具内に設置されて、前面扉３側からしかメンテナンスできないような場合でも、フィルタ２６を冷蔵庫１の前方から容易に着脱しての清掃が容易にできるという効果がある。また、フィルタ２６が吸込口２２ａに沿って、後方へ行くに従って上方へ傾斜するので、フィルタ２６と冷蔵庫１が設置される床面との距離が広い（図７のＨ寸法）ので床面に堆積した埃等を吸い込み難くなり、フィルタ２６の清掃が必要となる期間を長くできるという効果もある。
【００３５】
次に、冷蔵庫１の照明について説明する。図１０及び図１６〜図１８に示すように断熱容器２の左右ほぼ中央の前面上部には発光ダイオード（発光部）２８ａの照明２８が設けられ、前面扉３を開けると夜でも飲食物９等の収納物が見えるようにして、冷蔵庫を利用しやすいようにしている。また、この発光ダイオード２８ａは、プリント配線基板（配線基板）２９に略垂直な状態で半田付け等により接続され、図１７に示すように配線基板２９の前方を上方に傾斜させて配置させ、発光ダイオード２８ａの光が、断熱容器２内だけでなく、断熱容器２の前方（前面扉３側）を照らしやすいようにしているので、冷蔵庫１から引き出された食品収納ケース１０内の飲食物９が照らされて見えやすく、また、配線基板２９が傾斜して配置されているため、発光ダイオード２８ａの放熱が行なわれやすいという効果も得られる。
【００３６】
このように、上記実施の形態によれば、以下のような効果が得られる。
外箱５、外箱５の内側に設けられた内箱４及び外箱５と内箱４の間に設けられた断熱材（図示せず）を有し収納物９を所定温度に保存する小形の断熱容器２と、内箱４の左右側面板１２，１３に設けられたレール部１２ａ，１３ａと、レール部１２ａ，１３ａを介して前後に移動可能な左右フレーム６，７を裏面に有し、断熱容器２の前面を開閉自在に塞ぐ前面扉３と、前面扉３の裏面に固定され、前面扉３が前後に移動されることにより断熱容器２内外に出し入れされる上方が開放された食品収納ケース１０とを備えたので、飲食物９等の収納物の出し入れが行いやすく、設置スペースも狭くできるという効果がある。また、特に、ホテルの客室や病院の病室で使用される小形の冷蔵庫に好適な構成である。
【００３７】
また、前面が開放された外箱５、外箱５の内側に設けられ、前面が開放された内箱４及び外箱５と内箱４の間に設けられた断熱材（図示せず）を有する断熱容器２と、内箱４の左右側面板１２，１３に設けられたレール部１２ａ，１３ａと、レール部１２ａ，１３ａを介して前後に移動可能な左右フレーム６，７を裏面に有し、断熱容器２の前面を開閉自在に塞ぐ前面扉３と、前面扉３の裏面に固定され、前面扉３が前後に移動されることにより断熱容器２内外に出し入れされる上方が開放された食品収納ケース１０とを備え、断熱容器２の内箱４は、上面、下面及び背面が金属部材よりなる伝熱板１１で一体に形成され、左右側面板１２，１３が樹脂部材により形成されたので、飲食物９等の収納物の出し入れが行いやすく、設置スペースも狭くできるという効果がある。また、左右側面板１２，１３が樹脂部材により形成されるので、前面扉３を支持するレール部１２ａ，１３ａを作りやすく、また材料も安価なため安価な保存庫が得られる。また、特に、ホテルの客室や病院の病室で使用される小形の冷蔵庫に好適な構成である。
【００３８】
また、断熱容器２の内部の高さは、食品収納ケース１０に２リットルサイズのペットボトル９ａが真直ぐに立てて収納された状態では当該食品収納ケース１０を出し入れできず、かつ、食品収納ケース１０に２リットルサイズのペットボトル９ａが当該ペットボトル９ａの蓋部９ｂを前面扉３側に傾けて収納された状態では当該食品収納ケース１０を出し入れ可能とする寸法であるようにしたので、２リットルサイズのペットボトルを収納でき、収納する飲料の購入費用を安価にできる効果がある。
【００３９】
また、前面が開放された外箱５、外箱５の内側に設けられ、前面が開放された内箱４及び外箱５と内箱４の間に設けられた断熱材（図示せず）を有する断熱容器２と、内箱４の左右側面板１２，１３に設けられたレール部１２ａ，１３ａと、レール部１２ａ，１３ａを介して前後に移動可能な左右フレーム６，７を裏面に有し、断熱容器２の前面を開閉自在に塞ぐ前面扉３と、前面扉３の裏面に固定され、前面扉３が前後に移動されることにより断熱容器２内外に出し入れされる上方が開放された食品収納ケース１０とを備え、食品収納ケース１０は、２リットルサイズのペットボトル９ａを当該ペットボトル９ａの蓋部９ｂを前面扉３側に傾けた状態で収納可能とするようにしたので、飲食物９等の収納物の出し入れが行いやすく、設置スペースも狭くできるという効果がある。また、２リットルサイズのペットボトル９ａを収納でき、収納する飲料の購入費用を安価にできる効果がある。また、特に、ホテルの客室や病院の病室で使用される小形の冷蔵庫に好適な構成である。
【００４０】
また、２リットルサイズのペットボトル９ａが当該ペットボトル９ａの蓋部９ｂを前面扉３側に傾けた状態で収納される角度は、水平面に対して３０度から４０度の範囲とするようにしたので、２リトルサイズのペットボトル９ａの出し入れが容易で、保存庫の高さを低くでき、地震等の際に移動したり、倒れ難い保存庫が得られるという効果もある。
【００４１】
また、前面扉３の裏面には、食品収納ケース１０に２リットルサイズのペットボトル９ａが蓋部９ｂを前面扉３側に傾けて収納された状態において当該蓋部９ｂが位置する部分に、窪み３ａが形成されたので、断熱容器２が小さくても２リットルサイズのペットボトル９ａを収納でき、また、２リットルサイズのペットボトル９ａが移動し難くできるという効果もある。
【００４２】
また、断熱容器２の収納容量は、１５リットルから４５リットルの範囲であるようにしたので、小形の保存庫が得られる。特に、ホテルの客室や２台目の冷蔵庫として使用される小形の冷蔵庫に好適な構成である。
【００４３】
また、断熱容器２の収納容量は、２０リットルから３０リットルの範囲であるようにしたので、小形の保存庫が得られ、特に、ホテルの客室や病院の病室で使用される小形の冷蔵庫に好適な構成である。
【００４４】
また、断熱容器２内の収納物９を所定温度に保存する冷却手段又は加熱手段として、ペルチェ素子を利用したサーモモジュール１８を備えたので、騒音が少ない静かで、コンパクトな保存庫が得られる。
【００４５】
また、左右側面板１２，１３のレール部１２ａ，１３ａは、内箱２の背面より後方まで形成されたので、前面扉３の前後に移動する距離を長くでき、食品収納ケース１０の前後寸法を広くしたり、食品収納ケース１０を前方へ引き出す距離を長くして飲食物９の出し入れを用意にできる効果がある。
【００４６】
また、断熱容器２の後壁を覆う背面カバー２２と、背面カバー２２の下面に開設され、後方に向かい上方へ傾斜するように形成された吸込口２２ａと、背面カバー２２の上部に配置された送風ファン２３と、送風ファン２３に対向して背面カバー２２の上部に開設された排気口２２ｂと、断熱容器２の底面より下方に突出され、断熱容器２内で発生したドレン水を排出するドレン排水口２４と、ドレン排水口２４からのドレン水を受けるように断熱容器２の下方に配置され、断熱容器２に対して前後にスライドされて着脱可能なドレンパン２５と、ドレンパン２５の後方に一端が軸支されて他端が上方へ回動可能に設けられ、ドレンパン２５の着脱に伴い吸込口２２ａに対して着脱可能なフィルタ２６とを備え、送風ファン２３により、吸込口２２ａから空気をフィルタ２６を通過させて導入し、上方の排気口２２ｂへ排出する通風路が形成されたので、吸込口２２ａから埃を吸い込み難く、メンテナンスを容易にできる効果がある。
【００４７】
また、断熱容器２の上部に配置された配線基板２９と、配線基板２９に略垂直な状態で接続された照明用の発光ダイオード２８ａとを備え、配線基板２９は、発光ダイオード２８が前面扉３側を照らすように、傾斜して配置されたので、食品収納ケース１０内の飲食物が見えやすいという効果がある。
また、保存庫を収納物９を３℃〜７℃に保存する冷蔵庫とすれば、好適な構成の冷蔵庫が得られる。
【００４８】
上記実施の形態では、保存庫１として、ホテルの部屋や病室に好適な冷蔵庫１の例を示したが、温蔵庫や冷蔵と温蔵併用の保存庫であってもよいし、保存する設定温度を任意に変えられるような保温庫であってもよい。また、上記の実施の形態では、冷却手段にペルチェ素子によるサーモモジュール１８を１個使用した飲食物９等の収納容量が２０リットル〜３０リットル範囲程度のホテルの部屋や病室に好適な小形の冷蔵庫の例を示したが、食品等の収納容量に応じてサーモモジュール１８を増やしてもよい。また、上記実施の形態では、左右側面板１２，１３にそれぞれ一体にレール部１２ａ，１３ａを形成したものを示したが、レール部１２ａ，１３ａにさらにレール部品を取り付けるような構成にして、強度の強いレール構造にしてもよく、樹脂部材により左右側面板１２，１３を形成することで、レール部分を作りやすいという効果は同様に得られる。
【００４９】
また、上記の実施の形態では、冷却手段や加熱手段としてペルチェ素子によるサーモモジュール１８を使用して騒音が少なく静かでコンパクトな大きさにできるホテルの部屋や病室に好適な冷蔵庫１の例を示したが、圧縮機による冷凍サイクルで冷却及び加熱するような保存庫であってもよく、音がしたり圧縮機を収納するスペースが必要で保存庫が若干大きくなるが、その他の効果は同様に得られる。また、前面扉３に把手等の手で掴む部分を設けて前面扉３の前後の移動を行い易いようにしてもよい。
【００５０】
なお、本願発明はその発明の範囲内において、実施の形態の任意の構成要素の変形、もしくは実施の形態の任意の構成要素の省略が可能である。
【符号の説明】
【００５１】
１  冷蔵庫（保存庫）２  断熱容器、３  前面扉、３ａ  窪み、４  内箱、５  外箱、６  左フレーム、７  右フレーム、７ａ  ローラ、８  ステー、９  飲食物（収納物）、９ａ  ２リットルサイズのペットボトル、９ｂ  蓋部、１０  食品収納ケース（収納ケース）、１１  伝熱板、１２  左側面板、１２ａ  レール部、１２ｂ  ローラ、１３  右側面板、１３ａ  レール部、１３ｂ  ローラ、１４  下方三面部材、１５  上面部材、１６  背面部材、１７  枠体、１８  サーモモジュール（ペルチェ素子）、１９  伝熱ブロック、２０  ヒートシンク、２２  背面カバー、２２ａ  吸込口、２２ｂ  排気口、２３  送風ファン、２４  ドレン排水口、２５  ドレンパン、２５ａ  軸受、２５ｂ  軸受、２６  フィルタ、２６ａ  軸、２６ｂ  軸、２７  台足、２８  照明、２８ａ  発光ダイオード（発光部）、２９    配線基板。
【要約】
【課題】飲食物等の収納物の出し入れが行いやすく、設置スペースも狭くできる保存庫を得る。
【解決手段】前面が開放された外箱５、外箱５の内側に設けられ、前面が開放された内箱４及び外箱５と内箱４の間に設けられた断熱材を有する収納容量が２０リットルから３０リットルの範囲である断熱容器２と、内箱４の左右側面板１２，１３に設けられたレール部１２ａ，１３ａと、レール部１２ａ，１３ａを介して前後に移動可能な左右フレーム６，７を裏面に有し、断熱容器２の前面を開閉自在に塞ぐ前面扉３と、前面扉３の裏面に固定され、前面扉３が前後に移動されることにより断熱容器２内外に出し入れされる上方が開放された収納ケース１０とを備えた。
【選択図】図４【図１】
0005460817.tif 000002
【図２】
0005460817.tif 000003
【図３】
0005460817.tif 000004
【図４】
0005460817.tif 000005
【図５】
0005460817.tif 000006
【図６】
0005460817.tif 000007
【図７】
0005460817.tif 000008
【図８】
0005460817.tif 000009
【図９】
0005460817.tif 000010
【図１０】
0005460817.tif 000011
【図１１】
0005460817.tif 000012
【図１２】
0005460817.tif 000013
【図１３】
0005460817.tif 000014
【図１４】
0005460817.tif 000015
【図１５】
0005460817.tif 000016
【図１６】
0005460817.tif 000017
【図１７】
0005460817.tif 000018
【図１８】
0005460817.tif 000019